(57)【特許請求の範囲】
【請求項１】
高速で回転するインペラと、これを回転させるためのモータと、前記インペラを覆うとともに側面に複数個の吐出孔を持つファンケースと、有底筒状でかつ熱伝導特性の良い材料で構成され前記モータを覆うモータカバーとからなり、前記モータカバーの開口部を、前記ファンケースを保持する前記モータのフレームに隙間無く取り付けることによって、前記モータと前記モータカバーとの間に前記モータから発生する熱の対流空間を密閉状態に設け、前記インペラからの吐出空気は前記ファンケースの吐出孔からのみ外部へと吐出し、モータ内部の巻線部へは流入しない構成とした電動送風機。
【請求項２】
モータカバーの外側の面には、モータカバーから外部に向けて突出した、複数枚のドーナッツ状をしたフィンを有している請求項１記載の電動送風機。
【発明の詳細な説明】
【０００１】
【発明の属する技術分野】
本発明は、洗面所やトイレ・キッチン等で、手を水で洗った後に風で手を乾かすための手乾燥装置等に使用する、電動送風機に関するものである。
【０００２】
【従来の技術】
従来、手乾燥装置には様々な電動送風機が用いられているが、その中で代表的なものとして図６に示すような構成の電動送風機があり、これを用いた手乾燥装置として図７に示すようなものがある。
【０００３】
図６に於いて、ファンケース１は、その中に、送風インペラ２，エアガイド３等を設けて、モータ４のモータフレーム５に取り付けられている。このファンケース１の側面壁には吐出孔６が多数開けられている。また、モータ４の送風インペラの反対側にはモータ４を冷却するための冷却プロペラ７がモータ軸８に取り付けられている。９は、モータ４を覆うモータカバーであり、その側面には吸気口１０と排気口１１が設けられている。これら吸気口１０と排気口１１は手乾燥装置の外壁面を通して外部に連通している。図７に於いては、１２が乾燥室であり、１４は噴出口，１５は吸気口，１６は還流通路である。
【０００４】
これら上記の構成に於いて、濡れ手１７を乾燥室１２に挿入して、噴出口１４からの噴流により、濡れ手１７の水分を吹き飛ばして乾燥させる機能をもたしているものである。水分を吹き飛ばした後の気流は、吸気口１５から還流通路１６を通ってファンケース１の下へと戻っていくのであるが、このとき、送風インペラ２は、モータ４により高速で回転させられて、気流を発生し、その気流をファンケース１の吐出孔６から排出して、噴出口１４へと送り、濡れ手の乾燥に寄与させている。
【０００５】
同時に、モータカバー９の内部では、冷却プロペラ７の回転により吸気口１０を通して外部から冷却風を吸引してモータ４を冷却しつつ排気口１１を通して外部に排出し、モータ４の過剰加熱を防いでいる。このモータカバー１０により、湿気を含んだ、還流路１６を通過した後の、インペラ２を通った吐出孔６からの排出気流がモータ４の充電部に接触する事を防いでいるものである。
【０００６】
【発明が解決しようとする課題】
従来の電動送風機では、冷却のために冷却プロペラ７を設けていた。これは、プロペラ７を回転させるために電力を必要とすることから効率低下の要因であり、又、プロペラ７という部品が必要となること、モータ軸８を長くする必要があること、及び上記プロペラ７をこのモータ軸８に取り付けるための工数が必要となること等のため、コストアップの大きな要因となるものであった。
【０００７】
このように従来のものは、送風効率が低くなるということや、コストが高いものになっているということを課題としていたが、本発明では、湿気を含む空気を取り扱う電動送風機であっても、効率が高く、しかもコストアップにならない構成の電動送風機を提供することを目的としている。
【０００８】
【課題を解決するための手段】
上記課題を解決するために本発明は、モータを覆うモータカバーを良熱伝導体により構成し、インペラからの吐出空気がモータ内部の巻線部へは流入しない構成をしているこれにより、湿気を含む空気を取り扱うことができるとともに、モータ内の温度が上昇するとモータカバーを介して冷却されるので、従来のように冷却用のプロペラ、その冷却用の空気を流す吸気口および排気口をモータカバーに設けることもないので、低コストで高効率の電動送風機を得ることができる。
【０００９】
【発明の実施の形態】
本発明の請求項１記載の発明は、高速で回転するインペラと、これを回転させるためのモータと、前記インペラを覆うとともに側面に複数個の吐出孔を持つファンケースと、有底筒状でかつ熱伝導特性の良い材料で構成され前記モータを覆うモータカバーとからなり、前記モータカバーの開口部を、前記ファンケースを保持する前記モータのフレームに隙間無く取り付けることによって、前記モータと前記モータカバーとの間に前記モータから発生する熱の対流空間を密閉状態に設け、前記インペラからの吐出空気は前記ファンケースの吐出孔からのみ外部へと吐出し、モータ内部の巻線部へは流入しない構成としたもので、この構成によれば、湿気を含む空気を取り扱うことができるとともに、モータ内の温度が上昇するとモータカバーを介して冷却されるので、従来のように冷却用のプロペラが不要となり、送風効率を高めることができ、またモータの冷却用の空気を流す吸気口および排気口をモータカバーに設けることもないので、コストの低減、組立性の向上が図れる。
【００１０】
本発明の請求項２記載の発明は、モータを覆うモータカバーの外周面に、その表面から外側に向けて、複数枚のドーナッツ状をした放熱フィンを突出させたもので、放熱フィンにより放熱面積を大きくでき、冷却効率を高めることができる。
【００１１】
【実施例】
以下、本発明の実施例について図面を参照して説明する。
【００１２】
（実施例１）
図１は本実施例の電動送風機の構成を示す外観斜視図である。図において、１８はファンケースであり、その側面には、吐出孔１９が複数個開けてあり、その内部には、インペラ，エアガイド等（これらは図示せず）が納められており、２０は吸い込み口であり、２１はモータである。モータ２１の周囲には、良熱伝導体、好ましくはアルミにより作成された、有底筒状のモータカバー２２が設けられている。前記モータカバー２２はモータ２１のフレーム２３に隙間無く取り付けられ、インペラからの吐出空気がファンケース１８の吐出孔１９からのみ外部へと吐出し、モータ２１内部の巻線部へは流入しない構成としている。
【００１３】
以下上記構成における、本実施例の動作について説明する。モータ２１の作用により、インペラが回転し風を発生させ、ファンケースの吸い込み口２０から濡れ手の表面の水分を吹き飛ばした後の湿気を含んだ気流を吸引し、その後、この気流は、インペラ内部を通過して、ファンケース１８の吐出孔１９から吐出される。このとき、モータは熱を発生するのであるが、モータカバー２２の内部での対流作用によりこの熱は、熱伝導特性の良好なモータカバー２２へと伝わることとなる。そして、この熱伝導特性の良好性により、吐出孔１９からの気流によりどんどん冷却されるのである。
【００１４】
以上に示しているように、本実施例では、湿気を含んだ空気がモータ２１の充電部に触れることなく安全で、しかも従来のように冷却用のプロペラが不要となるので、低コストで、送風効率を高めることができ、組立性についても向上する。
【００１５】
（実施例２）
次に、本発明の第二の実施例について説明する。図２において、２３はファンケースであり、その側面には、吐出孔２４が複数個開けてあり、その内部には、インペラ，エアガイド等（これらは図示せず）が納められており、２５は吸い込み口であり、２６はモータである。モータ２６の周囲には、良熱伝導体、好ましくはアルミにより作成された、有底円筒状の胴体に複数枚のドーナッツ状をしたフィン２７を有するモータカバー２８が設けられている。そして、前記モータカバー２８はモータ２６のフレーム２９に隙間無く取り付けられ、ファンケース２３の吐出孔２４からのみ外部へと吐出し、モータ２６内部の巻線部へは流入しない構成としている。
【００１６】
以下上記構成における、本実施例の動作について説明する。モータ２６の作用により、インペラが回転し風を発生させ、ファンケース２３の吸い込み口２５から濡れ手の表面の水分を吹き飛ばした後の湿気を含んだ気流を吸引し、その後、この気流は、インペラ内部を通過して、ファンケース２３の吐出孔２４から吐出される。このとき、モータは熱を発生するのであるが、モータカバー２８の内部での対流作用によりこの熱は、熱伝導特性の良好なモータカバー２８へと伝わることとなる。そして、この熱伝導特性の良好性により、吐出孔２６からの気流によりどんどん冷却される。
【００１７】
以上に示しているように、本実施例では、湿気を含んだ空気がモータ２６の充電部に触れることなく安全で、しかも少ないコストで、効率の良い冷却を実現している。フィン２７によりモータカバー２８の放熱面積が増大し、その冷却効果が高まる。
【００１８】
（実施例３）
次に、本発明の第三の実施例について説明する。図３において、３０はファンケースであり、その側面には、吐出孔３１が複数個開けてあり、その内部には、インペラ，エアガイド等（これらは図示せず）が納められており、３２は吸い込み口であり、３３はモータである。モータ３３の周囲には、良熱伝導体、好ましくはアルミにより作成された、略円筒状のモータカバー３４が設けられている。そして、前記モータカバー３４はその内部において、一端はモータ３３の軸端に良熱伝導体、好ましくはアルミの伝熱棒３５を介して接触し、他の一端はモータフレーム３６に隙間無く取り付けられ、ファンケース３０の吐出孔３１からのみ外部へと吐出し、モータ３３内部の巻線部へは流入しない構成としている。
【００１９】
以下上記構成における、本実施例の動作について説明する。モータ３３の作用により、インペラが回転し風を発生させ、ファンケースの吸い込み口３２から濡れ手の表面の水分を吹き飛ばした後の湿気を含んだ気流を吸引し、その後、この気流は、インペラ内部を通過して、ファンケース３０の吐出孔３１から吐出される。このとき、モータ３３は熱を発生するのであるが、モータカバー３４の内部での対流作用及び伝熱棒３５により、モータ３３の熱は、熱伝導特性の良好なモータカバー３４へと伝わることとなる。そして、この熱伝導特性の良好性により、吐出孔３１からの気流によりどんどん冷却される。特に、伝熱棒３５の働きにより、モータ３３の熱を速やかにモータカバー３４へ伝えることができ、冷却性能が高まる。
【００２０】
以上に示しているように、本実施例では、湿気を含んだ空気がモータ３３の充電部に触れることなく安全で、しかも少ないコストで、効率の良い冷却を実現している。
【００２１】
（実施例４）
次に、本発明の第四の実施例について説明する。図４において、３７はファンケースであり、その側面には吐出孔３８が複数個開けられている。３９はモータカバーであり、このモータカバー３９は上述した各実施例のように熱伝導特性の良好な部材で構成されている。このモータカバーの一部に接触させて、回路ユニット４０から熱伝導部材、好ましくは板材の熱伝導板４１が延びている。４２は手乾燥装置の本体であり、４３が乾燥室、４４が吸気口、４５が還流通路、４６が噴流吹き出しノズルである。４７は乾燥させようとしている濡れ手である。
【００２２】
これらの構成に於いて、濡れ手４７を乾燥室４３に挿入して、噴流の吹き出しノズル４６からの噴流により、表面の水分を吹き飛ばして乾燥させる。水分を吹き飛ばした後の気流は、吸気口４４から還流通路４５を通ってファンケース３７の吸い込み口（回路ユニットと４０と反対側）へと戻っていき、ファンケース３７の中を通過して、吐出孔３８からの吐出流になり、吐出されていく。モータカバー３９の内部ではモータが発熱しており、この熱が対流によりモータカバー３９まで伝わってきている。又、回路ユニット４０による熱も熱伝導板４１を介してモータカバー３９に伝わってきており、モータカバー３９はこれらの熱で熱くなっている。しかしこのとき、モータカバー３９は、良熱伝導材料によるものであるので、前記吐出孔３８からの吐出流との接触により、熱を効率よく逃がし、全体を冷却していくものである。
【００２３】
以上に示しているように、本実施例では、湿気を含んだ空気がモータカバー３９の内部にあるモータ（図示せず）の充電部に触れることなく安全で、かつ回路ユニット４０の冷却も同時に行い、しかも少ないコストで、効率の良い冷却を実現している。
【００２４】
（実施例５）
次に、本発明の第五の実施例について説明する。図５において、４８はファンケースであり、その側面には、吐出孔４９が複数個開けてあり、その内部には、インペラ，エアガイド等（これらは図示せず）が納められており、５０は吸い込み口であり、５１はモータである。モータ５１の周囲には、良熱伝導体、好ましくはアルミにより作成された、略円筒状の胴体に複数枚のドーナッツ状をしたフィン５２を有するモータカバー５３が設けられている。そして、前記モータカバー５３はモータ５１のフレーム５４に隙間無く取り付けられている。これらファンケース４８やモータカバー５３を覆ってガイドカバー５５が設けられ、このガイドカバー５５には排出口５６が開けられている。
【００２５】
以下上記構成における、本実施例の動作について説明する。モータ５１の作用により、インペラが回転し風を発生させ、ファンケースの吸い込み口５０から濡れ手の表面の水分を吹き飛ばした後の湿気を含んだ気流を吸引し、その後、この気流は、インペラ内部を通過して、ファンケース４８の吐出孔４９から吐出される。このとき、モータは熱を発生するのであるが、モータカバー５３の内部での対流作用により、モータの熱は、熱伝導特性の良好なモータカバー５３へと伝わることとなる。そして、５２のフィンと相まって熱伝導特性の良好性により、表面へと熱の移動がおこる。このとき、吐出孔４９からの吐出気流はガイドカバー５５内に充満するので、モータカバー５３の全表面から熱を奪いつつ排出口５６から排出される。
【００２６】
以上に示しているように、本実施例では、湿気を含んだ空気がモータ５１の充電部に触れることなく安全で、効率の良い冷却を実現している。また、ガイドカバー５５によりモータカバー５３を覆う構成なので、吐出孔４９からの吐出気流のほぼ大半がモータカバー５３の冷却に寄与することができ、冷却効率を高めることができる。さらに、ガイドカバー５３の形状を吐出孔４９から離れるにしたがって径大となるテーパー形状とすることで、吐出孔４９から離れた位置のモータカバー５３も効率よく冷却することができる。
【００２７】
【発明の効果】
上記実施例から明らかなように、請求項１記載の発明によれば、有底筒状でかつ熱伝導特性の良い材料で構成され前記モータを覆うモータカバーとからなり、前記モータカバーの開口部を、前記ファンケースを保持する前記モータのフレームに隙間無く取り付けることによって、前記モータと前記モータカバーとの間に前記モータから発生する熱の対流空間を密閉状態に設けることにより、湿気を含む空気を取り扱うことができるとともに、モータ内の温度が上昇するとモータカバーを介して冷却されるので、従来のように冷却用のプロペラが不要となり、送風効率を高めることができ、またモータの冷却用の空気を流す吸気口および排気口をモータカバーに設けることもないので、コストの低減、組立性の向上が図れるという効果を得ている。
【００２８】
また、請求項２記載の発明のように、モータカバーの外周面に複数枚のドーナッツ状をしたフィンを設けることにより、放熱面積を大きくでき、冷却効率を高めることができるという効果を得ている。
【図面の簡単な説明】
【図１】  本発明の第一の実施例を示す電動送風機の内部を透視した外観斜視図
【図２】  本発明の第二の実施例を示す電動送風機の内部を透視した外観斜視図
【図３】  本発明の第三の実施例を示す電動送風機の内部を透視した外観斜視図
【図４】  本発明の第四の実施例の電動送風機を用いた手乾燥装置の内部を透視した外観斜視図
【図５】  本発明の第五の実施例を示す電動送風機の内部を透視した外観斜視図
【図６】  従来の電動送風機の一部破断側面図
【図７】  従来の電動送風機を用いた手乾燥装置の内部を透視した外観斜視図
【符号の説明】
１８  ファンケース
１９  吐出孔
２１  モータ
２２  モータカバー
２７  フィン
２８  モータカバー
３３  モータ
３４  モータカバー
３９  モータカバー
４０  回路ユニット
４１  熱伝導板（熱伝導部材）
４８  ファンケース
４９  吐出孔
５２  フィン
５３  モータカバー
５５  ガイドカバー
５６  排出口
【図１】
0003937504.tif 000002
【図２】
0003937504.tif 000003
【図３】
0003937504.tif 000004
【図４】
0003937504.tif 000005
【図５】
0003937504.tif 000006
【図６】
0003937504.tif 000007
【図７】
0003937504.tif 000008